(57)【要約】【課題】簡単な構造で、簡単な操作により寝具等の外側を覆いコンパクトな形状とし、容易に持ち運ぶことができる寝具及び敷物を提供する。【解決手段】クッション材を包む一方向に長い矩形の覆い布１２と、覆い布１２の一辺に取り付けられ一辺に沿って一端部が片持ち状態で取り付けられた当て布１４を有する。当て布１４に紐体１６を介して互いに反対側に取り付けられ、互いに着脱自在なボタン２０とループ１８を備える。覆い布１２の当て布１４が取り付けられている一辺に形成された開口部２４と、開口部２４の内側に連続し覆い布１２とクッション材との間に位置した収容袋２６を備える。当て布１４と紐体１６により形成される環の長さは、覆い布１２で覆われたクッション材を折り畳むように巻いた状態での外周の長さよりも短い。【選択図】図１
2010046437.tif 000002
【特許請求の範囲】
【請求項１】
クッション材を包む一方向に長い矩形の覆い布と、前記覆い布の一辺に取り付けられ前記一辺に沿って一端部が片持ち状態で取り付けられた当て布と、前記当て布に取り付けられ互いに着脱自在な係止具と、前記覆い布の前記当て布が取り付けられている前記一辺に形成された開口部と、前記開口部の内側に連続し前記覆い布と前記クッション材の間に位置した収容袋が設けられ、前記当て布と前記係止具により形成される環の長さは、前記覆い布で覆われた前記クッション材を折り畳むように巻いた状態での外周の長さよりも短くなるように設定され、前記当て布は前記寝具の外周面を押圧して巻回され前記係止具を介して環状に連結されることを特徴とする寝具。
【請求項２】
前記覆い布の前記当て布が取り付けられた前記一辺には、持ち手が取り付けられていることを特徴とする請求項１記載の寝具。
【請求項３】
前記係止具は、前記当て布に紐体を介して取り付けられ、前記当て布と前記係止具により形成される環の長さは、前記覆い布を前記クッション材とともに巻いたときの外周面の円周方向に長さ調節可能に設けられていることを特徴とする請求項１記載の寝具。
【請求項４】
前記当て布は、前記当て布が取り付けられた前記一辺を３等分した幅よりも短い幅で設けられ、前記一辺の中心に縫い合わせられていることを特徴とする請求項１記載の寝具。
【請求項５】
クッション材を包む一方向に長い矩形の覆い布と、前記覆い布の一辺に取り付けられる紐体と、前記紐体の前記覆い布に取付けられる基端部と前記紐体の先端部に設けられ互いに着脱自在な係止具と、前記覆い布の前記紐体が取り付けられている前記一辺に形成された開口部と、前記開口部の内側に連続し前記覆い布と前記クッション材の間に位置する収容袋が設けられ、前記紐体の長さは、前記覆い布で覆われた前記クッション材を折り畳むように巻いた状態での外周の長さよりも、短くなるように設定され、前記紐体は前記寝具の外周面を押圧して巻き回して前記係止具で環状に連結されることを特徴とする寝具。
【請求項６】
前記紐体は互いに平行な一対が設けられ、前記一対の紐体同士を連結する別の紐体である持ち手が設けられていることを特徴とする請求項５記載の寝具。
【請求項７】
前記一対の紐体の間隔は、前記紐体が取り付けられた前記一辺の半分よりも短い間隔で設けられ、前記一辺の中心を外して一方の角部に近い位置に取り付けられていることを特徴とする請求項５又は６記載の寝具。
【請求項８】
所定形状に形成された敷物本体と、前記敷物本体の一方の面で、前記敷物本体の一辺に付けられた紐体と、前記紐体の前記敷物に縫い付けられた基端部と前記紐体の先端部に取り付けられ互いに着脱自在な係止具と、前記紐体が縫い付けられている前記一辺に取り付けられた収容袋と、前記収容袋を開閉する開口部が設けられ、前記紐体の長さは前記敷物本体を巻いたときの外周面の長さと同じかまたは少し短くなるように設定され、前記紐体は前記敷物本体の外周面を押圧して巻回して前記係止具で環状に連結されることを特徴とする敷物。
【発明の詳細な説明】
【技術分野】
【０００１】
この発明は、巻いた状態で係止する紐体と運搬する持ち手が一体に取り付けられた寝具及び敷物に関する。
【背景技術】
【０００２】
従来、医療機関や福祉施設ではベッドを準備したり定期的に洗濯したりと、寝具を運ぶ機会が多く、寝具をコンパクトに折り畳んで運び易くする工夫が求められている。
【０００３】
例えば特許文献１に開示されている包み込みシートは、布団を包む矩形シートが設けられ、矩形シートの対向する２辺にそれぞれ紐通し部が形成され、紐通し部には紐が挿通されている。矩形シートの他の２辺に止着手段が設けられている。この包み込みシートの使用方法は、矩形シート上に畳んだ布団を載置し、止着手段を有する２辺を布団の上で重ね合わせて止着手段で止着し、紐を引き締めて結ぶことにより、シートの残る２辺が巾着状に絞り込まれて袋形態となるものである。
【０００４】
特許文献２に開示されている携帯袋兼用敷き布団カバーは、布団カバーの外面の端と外面の三つ折の折り畳み箇所に手提げ紐と留め具が設けられている。布団を持ち運ぶときは、布団カバーの外面を外側にして三つ折りし、留め具で係止する。この状態で手提げ紐を持って携帯するものである。
【０００５】
特許文献３に開示されている布団の収納シートは、布団と同じ大きさの矩形のシートが設けられ、シートの対向短辺間に、面ファスナを有するゴムバンドと、この面ファスナが係止される面ファスナが設けられ、シートの対向長辺間の半分同士の間にも、面ファスナを有するゴムバンドと、この面ファスナが係止される他方の面ファスナが設けられている。布団を収納するときは、床に展開してシート上に布団を載置し、布団をシートごと長手方向半分に折り畳み、シートの辺同士を面ファスナで係止し、その状態のものをさらに長手方向中間位置で折り畳み、シートの長辺同士を面ファスナで係止し、四つ折りの状態とするものである。
【特許文献１】実登３０４５７７２号公報
【特許文献２】実登３０５６５２０号公報
【特許文献３】実登３０９１３８９号公報
【発明の開示】
【発明が解決しようとする課題】
【０００６】
上記各背景技術の場合、布団と別体にシートや布団カバーが必要であり、部品点数が多く、収納や搬送時に手軽に利用することができるものではなかった。また布団と別体であるため、布団からシートがずれることもあり、長い時間持ち運ぶと形が崩れるおそれがあった。
【０００７】
この発明は、上記背景技術の問題点に鑑みてなされたものであり、簡単な構造で、簡単な操作により寝具等の外側を覆いコンパクトな形状とし、容易に持ち運ぶことができる寝具及び敷物を提供することを目的とする。
【課題を解決するための手段】
【０００８】
本発明は、クッション材を包む一方向に長い矩形の覆い布と、前記覆い布の一辺に取り付けられ前記一辺に沿って一端部が片持ち状態で取り付けられた当て布と、前記当て布に取り付けられ互いに着脱自在な係止具と、前記覆い布の前記当て布が取り付けられている前記一辺に形成された開口部と、前記開口部の内側に連続し前記覆い布と前記クッション材の間に位置した収容袋が設けられ、前記当て布と前記係止具により形成される環の長さは、前記覆い布で覆われた前記クッション材を折り畳むように巻いた状態での外周の長さよりも短くなるように設定され、前記当て布は前記寝具の外周面を押圧して巻回され前記係止具を介して環状に連結される寝具である。
【０００９】
前記覆い布の前記当て布が取り付けられた前記一辺には、持ち手が取り付けられているものである。前記係止具は、前記当て布に紐体を介して取り付けられ、前記当て布と前記係止具により形成される環の長さは、前記覆い布を前記クッション材とともに巻いたときの外周面の円周方向に、長さ調節可能に設けられているものである。
【００１０】
また、前記当て布は、前記当て布が取り付けられた前記一辺を３等分した幅よりも短い幅で設けられ、前記一辺の中心に縫い合わせられているものである。
【００１１】
またこの発明は、クッション材を包む一方向に長い矩形の覆い布と、前記覆い布の一辺に取り付けられる紐体と、前記紐体の前記覆い布に取付けられる基端部と前記紐体の先端部に設けられ互いに着脱自在な係止具と、前記覆い布の前記紐体が取り付けられている前記一辺に形成された開口部と、前記開口部の内側に連続し前記覆い布と前記クッション材の間に位置する収容袋が設けられ、前記紐体の長さは、前記覆い布で覆われた前記クッション材を折り畳むように巻いた状態での外周の長さよりも、短くなるように設定され、前記紐体は前記寝具の外周面を押圧して巻き回して前記係止具で環状に連結される寝具である。
【００１２】
前記紐体は互いに平行な一対が設けられ、前記一対の紐体同士を連結する別の紐体である持ち手が設けられているものである。前記一対の紐体の間隔は、前記紐体が取り付けられた前記一辺の半分よりも短い間隔で設けられ、前記一辺の中心を外して一方の角部に近い位置に取り付けられているものである。
【００１３】
またこの発明は、所定形状に形成された敷物本体と、前記敷物本体の一方の面で、前記敷物本体の一辺に付けられた紐体と、前記紐体の前記敷物に縫い付けられた基端部と前記紐体の先端部に取り付けられ互いに着脱自在な係止具と、前記紐体が縫い付けられている前記一辺に取り付けられた収容袋と、前記収容袋を開閉する開口部が設けられ、前記紐体の長さは前記敷物本体を巻いたときの外周面の長さと同じかまたは少し短くなるように設定され、前記紐体は前記敷物本体の外周面を押圧して巻回して前記係止具で環状に連結される敷物である。さらに、前記紐体は、２本が互いに平行に設けられてもよい。
【発明の効果】
【００１４】
本発明の寝具及び敷物は、簡単な構造で、必要なときに紐体を出して布団等をコンパクトにまとめ持ち手を形成して容易に運搬可能とし、不要なときは覆い布の内側に紐体を収容して紐体が布団等の使用の邪魔にならないようにし、すっきりとした外観にすることができる。
【発明を実施するための最良の形態】
【００１５】
以下、この発明の実施形態について図面に基づいて説明する。図１〜図３はこの発明の第一実施形態を示すもので、この実施形態は羽毛布団１０であり、クッション材である羽毛を表裏面から包む一方向に長い矩形の一対の覆い布１２が、周縁部を互いに縫い合わされて設けられている。
【００１６】
覆い布１２の一方の短辺１２ａには、２枚の当て布１４が設けられている。２枚の当て布１４は、短辺１２ａを下底１４ａとする台形に形成され、下底１４ａは短辺１２ａの約３分の１程度の長さであり、短辺１２ａの中心に、一対の覆い布１２の間に挟まれて片持ち状態に縫い合わされている。当て布１４の上底である先端縁１４ｂは、短辺１２ａに対して平行で覆い布１２の長手方向の長さの約４分の１〜３分の1程度の位置に達している。
【００１７】
２枚の当て布１４の一方には、先端縁１４ｂに一対の紐体１６が設けられている。紐体１６は、当て布１４の角部近傍に取付けられ互いに平行に覆い布１２の長手方向に沿って延出し、覆い布１２の長手方向中心を少し越えた位置に達している。これは、紐体１６が羽毛布団１０をロール状に巻いたときの外周面の円周よりも、一対の当て布１４と紐体１６を連結した長さが、やや短くなる長さである。紐体１６の先端には、係止具であるボタン穴のループ１８が設けられている。
【００１８】
他方の当て布１４には、紐体１６のループ１８がかけられる係止具であるボタン２０が設けられている。ボタン２０は、当て布１４の先端縁１４ｂの角部から下底１４ａに向かって、等間隔に２列に３行、つまり６個が設けられている。ボタン２０は、羽毛布団１０を３つ折りにして長手方向にロール状に巻き、巻いた羽毛布団１０の外周面を紐体１６が一周して紐体１６のループ１８が届く位置に設けられ、やや羽毛布団１０を外から押して小さくした状態で届くことが望ましい。ループ１８をどの列のボタン２０にかけるかにより、３段階で長さ調整する。さらに、一対の当て布１４の間には、持ち手２２が縫い合わされて外側に突出して設けられている。
【００１９】
覆い布１２の短辺１２ａ近傍には、当て布１４に対向する部分に、短辺１２ａに対してほぼ平行にスライドファスナ等で開閉する直線状の開口部２４が設けられ、覆い布１２のクッション材に対面している裏側面には、開口部２４に連通した収納袋２６が設けられている。収納袋２６は、覆い布１２とクッション材の間に位置し、覆い布１２の裏面側に隠されている。
【００２０】
次に、この実施形態の羽毛布団１０の使用方法について説明する。まず、身体に掛けて使用するときは、図２に示すように、開口部２４を開けて一対の当て布１４と紐体１６、持ち手２２を収納袋２６に入れ、開口部２４を閉めて収容する。そして、羽毛布団１０を持ち運ぶときは、開口部２４を開けて収納袋２６から当て布１４、紐体１６、持ち手２２を引き出す。そして図１に示すように幅方向を３等分する２点鎖線に沿って、羽毛布団１０を長手方向に平行に紐体１６と反対側の面へ３つ折りする。さらに、３つ折りした状態で、短辺１２ａと反対の短辺１２ｂからロール状に巻き、または折り畳む。一対の当て布１４を、短辺１２ａを中心として互いに開き、紐体１６で羽毛布団１０の外周面を巻き回し、一対の紐体１６のループ１８を他方の当て布１４の一対のボタン２０にそれぞれ係止する。ボタン２０は複数個が設けられ、長さがちょうどよい位置のボタン２０に係止する。これにより図３に示すように、コンパクトにまとめられる。この状態で搬送したり、押し入れや保管庫などに収納しても良い。
【００２１】
この実施形態の羽毛布団１０によれば、簡単な構造で、必要なときに当て布１４と紐体１６を出してコンパクトにまとめ、持ち手２２を形成して容易に運搬することができる。不要なときは覆い布１２の内側の収納袋２６に当て布１４、紐体１６、持ち手２２を収容してすっきりとした外観にして、一般的な羽毛布団と同様の使用方法ができる。当て布１４、紐体１６、持ち手２２が羽毛布団１０と一体に設けられているため、当て布１４と紐体１６を、羽毛布団１０からずれることなく簡単に巻き回すことができる。また、長時間の運搬や洗濯に際しても形が崩れることがなく好都合である。特に、当て布１４が、羽毛布団１０の外周面に重ねられるため、柔らかくてまとまりにくい羽毛布団１０をしっかりと保持することができる。
【００２２】
なお、この実施形態の羽毛布団１０は、当て布１４の、先端縁１４ｂに交差する一対の側縁部に別の紐体や当て布を設けてもよい。この紐体がロール状に巻いた柄羽毛布団１０の端面を押え、羽毛布団１０が螺旋状にくずれないように押えることができる。
【００２３】
さらに、収納袋２６中に羽毛布団１０を圧縮して収納するようにしても良い。これにより、保管や運搬時の嵩が減り、取り扱いに便利である。
【００２４】
次にこの発明の第二実施形態について図４、図５に基づいて説明する。なお、ここで、上記実施形態と同様の部材は同様の符号を付して説明を省略する。この実施形態は綿や合成繊維等のクッション材を使用した掛け布団や敷き布団等の布団２８であり、クッション材を表裏面から包む一方向に長い矩形の一対の覆い布１２が、周縁部を互いに縫い合わされて設けられている。
【００２５】
覆い布１２の短辺１２ａには、一対の紐体３０が設けられている。一対の紐体３０の縫い付けられている間隔は、短辺１２ａの半分よりも短い幅で設けられ、短辺１２ａの中心を外して一方の角部１３に近い位置にずらされて縫い付けられている。一対の紐体３０の先端部３０ａは、覆い布１２の長手方向に沿って延出し、覆い布１２の長手方向中心を少し越えた位置に達している。紐体３０の先端部３０ａより少し手前には、一対の紐体３０同士を連結する別の紐体で作られた持ち手３２が設けられている。紐体３０の先端部３０ａには、ボタン穴のループ３４が設けられている。
【００２６】
紐体３０の、短辺１２ａに縫い付けられている端部３０ｂには、紐体３０のループ３４がかけられるボタン３６が設けられている。ボタン３６は、紐体３０の端部３０ｂ近傍から等間隔に３個設けられている。
【００２７】
覆い布１２の短辺１２ａ近傍には、一対の紐体３０に対向する部分に、短辺１２ａに対して平行にスライドファスナ等で開閉する直線状の開口部２４が設けられ、開口部２３に連通して、覆い布１２の裏側面には収納袋２６が設けられている。
【００２８】
次に、この実施形態の掛け布団２８の使用方法について説明する。まず、身体に掛けて使用するときは、紐体３０を収納袋２６に入れ収納する。そして、掛け布団２８を搬送するときは、開口部２４から紐体３０を引き出す。そして図４に示すように幅方向の中心である２点鎖線に沿って、掛け布団２８を長手方向に平行に紐体３０と反対側に２つ折りし、２つ折りした状態で短辺１２ｂからロール状に巻く。一対の紐体３０で掛け布団２８の外周面を巻き回し、一対のループ３４をボタン３６にそれぞれ係止する。これにより図５に示すように、コンパクトにまとめられる。
【００２９】
この実施形態の布団２８によれば、上記実施の形態と同様な効果を有することができる。羽毛布団よりも圧縮率が小さい綿や合成繊維の布団２８でも、二つ折りしてロール状に巻き、コンパクトにし、持ち手３２で運ぶことができる。
【００３０】
次にこの発明の第三実施形態について図６に基づいて説明する。なお、ここで、上記実施形態と同様の部材は同様の符号を付して説明を省略する。この実施形態は、床に敷く敷物３８であり、一方向に長い矩形の敷物本体４０が設けられている。図６は、敷物本体４０の裏面を示したものであり、敷物本体４０の短辺４０ａには、一対の紐体３０の一端が縫い付けられている。一対の紐体３０は、短辺４０ａの中心を挟んで両側に等間隔で離れて縫い付けられている。一対の紐体３０の先端部３０ａは、敷物本体４０の長手方向に沿って延出し、敷物本体４０の長手方向中心を少し越えた位置に達している。紐体３０の先端部３０ａより少し手前には、一対の紐体３０同士を連結する別の紐体で作られた持ち手３２が設けられている。紐体３０の先端部３０ａには、ボタン穴であるループ３４が設けられている。
【００３１】
紐体３０の、短辺１２ａに縫い付けられている端部３０ｂには、紐体３０のループ３４が係止されるボタン３６が設けられている。ボタン３６は、紐体３０の端部３０ｂ近傍から等間隔に３個ずつ設けられている。
【００３２】
敷物本体４０の短辺４０ａには、一対の紐体３０に対向する部分に収納袋４２が縫い付けられている。収納袋４２の、紐体３０側の面には、短辺４０ａに対して平行にスライドファスナ等で開閉する直線状の開口部４４が設けられている。収納袋４２は、移動しないように敷物本体４０の裏側面に四辺が縫い付けられているとよい。
【００３３】
次に、この実施形態の敷物３８の使用方法について説明する。まず、床に敷いて使用するときは、開口部４４を開けて紐体３０を収納袋４２に入れ、開口部４４を閉めて閉鎖する。そして敷物３８を持ち運ぶときは、開口部４４を開けて収納袋４２から紐体３０を引き出す。敷物本体４０を短辺４０ａと反対の短辺４０ｂからロール状に巻き、一対の紐体３０で敷物本体４０の外周面を巻き回し、一対のループ３４をボタン３６にそれぞれ係止する。これによりコンパクトにまとめられる。
【００３４】
この実施形態の敷物３８によれば、上記実施の形態と同様な効果を有することができる。敷物本体４０は、収納袋４２を裏面に縫い付けて設けられているため、不要なときは紐体３０を収納して表側から見えないようにし、自然な外観で使用することができる。
【００３５】
なお、この発明の寝具及び敷物は、上記各実施形態に限定されず、各種の大形のカバーや寝袋等、いろいろな用途に使用することができる。各部材の形状や取付位置、数等は自由に変更可能であり、当て布は片側に一枚が設けられても良く、周面とその端面に広がるように設けても良い。紐体は、太いものを１本でもよく、３本以上でもよく、ゴム紐を使用してもよい。紐体の係止具は、ループ以外にボタンホールでも良く、ボタン以外にフックや結び紐、面ファスナなど自由に変更可能である。
【図面の簡単な説明】
【００３６】
【図１】この発明の第一実施形態の羽毛布団の当て布と紐体と持ち手を引き出した状態を示す正面図である。
【図２】この実施形態の羽毛布団の当て布と紐体と持ち手を収納した状態を示す正面図である。
【図３】この実施形態の羽毛布団を巻いた状態を示す斜視図である。
【図４】この発明の第二実施形態の掛け布団の正面図である。
【図５】この実施形態の掛け布団を巻いた状態を示す斜視図である。
【図６】この発明の第三実施形態の敷物の正面図である。
【符号の説明】
【００３７】
１０  羽毛布団
１２  覆い布
１４  当て布
１６  紐体
１８  ループ
２０  ボタン
２２  持ち手
２４  開口部
２６  収納袋
【図１】
2010046437.tif 000003
【図２】
2010046437.tif 000004
【図３】
2010046437.tif 000005
【図４】
2010046437.tif 000006
【図５】
2010046437.tif 000007
【図６】
2010046437.tif 000008